(57)【要約】【課題】本発明は静電霧化装置に関するもので、静電霧化装置の使用感を向上することができるものである。【解決手段】そしてこの目的を達成するために本発明は、吸気口３を備え、上面が開口した略箱形状の本体ケース１と、この本体ケース１の上面に固定され、吹出口２を備えた吹出口部材２ａと本体ケース１内に吸気口３から吹出口２に送風する送風手段４を設け、この送風手段４の風下側風路に静電霧化手段６を備え、本体ケース１の上面の面積は、本体ケース１の下面の面積より大きい構成としたものである。【選択図】図１
2011033304.tif 000002
【特許請求の範囲】
【請求項１】
吸込口を備え、上面が開口した略箱形状の本体ケースと、この本体ケースの上面に固定され、吹出口を備えた吹出口部材と前記本体ケース内に前記吸込口から前記吹出口に送風する送風手段を設け、この送風手段の風下側風路に静電霧化手段を備え、前記本体ケースの上面の面積は、前記本体ケースの下面の面積より大きい構成とした静電霧化装置。
【請求項２】
送風手段はファンケーシングと、このファンケーシング内に設けられた羽根と、この羽根を回転させる電動機とから形成され、この電動機を前記本体ケースの下部に設けた請求項１に記載の静電霧化装置。
【請求項３】
電動機を前記本体ケースの前面側に設けた請求項１または２に記載の静電霧化装置。
【請求項４】
本体ケースの前面側側面と、左側側面と、背面側側面と、右側側面とが各々繋がる部分が、曲面形状である請求項１から３のいずれかに記載の静電霧化装置。
【請求項５】
本体ケースの前面側側面と、左側側面と、背面側側面と、右側側面とを曲面形状で構成した請求項１から４のいずれかに記載の静電霧化装置。
【請求項６】
本体ケースは、樹脂材料で形成した請求項１から５のいずれかに記載の静電霧化装置。
【請求項７】
吹出口部材は、前記本体ケースの内周面に接するように突出した突出部を設けた請求項１から６のいずれかに記載の静電霧化装置。
【請求項８】
ファンケーシング側周部と、本体ケースとの間に空間部を備えた請求項２から７のいずれかに記載の静電霧化装置。
【発明の詳細な説明】
【技術分野】
【０００１】
本発明は、水に高電圧を印加することにより水微粒子を生成する静電霧化装置に関する。
【背景技術】
【０００２】
従来のこの種の静電霧化装置の構成は以下のようになっていた。
【０００３】
すなわち、吹出口と吸込口とを設けた本体ケースと、この本体ケース内の前記吸込口から前記吹出口への風路に静電霧化手段を備えた構成となっていた。（例えば、これに類似する先行文献は下記特許文献１に記載されている）。
【先行技術文献】
【特許文献】
【０００４】
【特許文献１】特開２００５−２７９３３０号公報
【発明の概要】
【発明が解決しようとする課題】
【０００５】
上記従来例における課題は、静電霧化装置の使用感が悪いということであった。
【０００６】
すなわち、従来の物においては、静電霧化装置を移動する場合に、取っ手がない為、冬場などの手が乾燥した状態では、側面部を掴んで持ち上げ、移動する場合に滑り易く、使用感の悪いものであった。
【０００７】
そこで本発明は、静電霧化装置の使用感の向上を目的とするものである。
【課題を解決するための手段】
【０００８】
そしてこの目的を達成するために本発明は、吸込口を備え、上面が開口した略箱形状の本体ケースと、この本体ケースの上面に固定され、吹出口を備えた吹出口部材と前記本体ケース内に前記吸込口から前記吹出口に送風する送風手段を設け、この送風手段の風下側風路に静電霧化手段を備え、前記本体ケースの上面の面積は、前記本体ケースの下面の面積より大きい構成であり、これにより、初期の目的を達成するものである。
【発明の効果】
【０００９】
以上のように本発明は、吸込口を備え、上面が開口した略箱形状の本体ケースと、この本体ケースの上面に固定され、吹出口を備えた吹出口部材と前記本体ケース内に前記吸込口から前記吹出口に送風する送風手段を設け、この送風手段の風下側風路に静電霧化手段を備え、前記本体ケースの上面の面積は、前記本体ケースの下面の面積より大きい構成であり、静電霧化装置の使用感を向上することができるものである。
【００１０】
すなわち、本体ケースの上面の面積は、本体ケースの下面の面積より大きいので、本体ケースの側面は、本体ケースの下部から上部に上がるにつれて、本体ケースの外側方向に傾斜している。これにより、本体ケースの側面部を掴んで持ち上げる場合に、滑りにくくなり、静電霧化装置の移動を容易に行うことができる。
【００１１】
これらの結果により、静電霧化装置の使用感を向上することができるものである。
【図面の簡単な説明】
【００１２】
【図１】本発明の実施の形態１の静電霧化装置の概略図
【図２】本発明の実施の形態１の静電霧化装置の概略断面を示す図
【図３】本発明の実施の形態１の静電霧化装置の概略断面を示す図
【発明を実施するための形態】
【００１３】
以下、本実施形態を添付図面を用いて説明する。
【００１４】
（実施の形態１）
図１および図２に示すように、本実施形態の静電霧化装置は、略箱形状の本体ケース１には、上面が開口し、背面下部に吸気口３を備えている。この本体ケース１の上面の開口には、吹出口部材２ａを固定し、この吹出口部材２ａは吹出口２を備えている。
【００１５】
本体ケース内に吸気口３から吹出口２に送風する送風手段４を設け、この送風手段４の風下側風路に静電霧化手段６を備えている。
【００１６】
吹出口２は、略横長四角形状で吹出口２部材の中央部に位置し、吸気口３は、略四角形状で本体ケースの側面背面側の下部に位置し、着脱自在なフィルター５を備えている。
【００１７】
送風手段４は、室内の空気を吸気口３から本体ケース１内に吸い込み、吹出口２より室内に送風するもので、この送風手段４の風下側風路に静電霧化手段６を備えている。
【００１８】
送風手段４はファンケーシング７と、このファンケーシング７内に設けられた遠心送風型の羽根８と、この羽根８を回転させる電動機９とから形成されている。ファンケーシング７は、略縦長箱形状で、上面には略横長四角形状の吐出口１０を備え、側面背面側の下部には円形状の吸込口１１を設けている。この吸込口１１に対向した位置に、羽根８および電動機９を備え、この電動機９の上部に回路部分１２を設けたものである。また、羽根８を囲むように、ファンケーシング７であるスクロール部１３を設けている。このスクロール部１３は、ファンケーシング７の左右側面の下部で形成された側面スクロール部分１４と、ファンケーシング７の底面部で形成された底面スクロール部分１５と、ファンケーシング７の左右側面中央部の一方からファンケーシング中央方向に延びた円弧形状の上部スクロール部分１６とから構成している。この円弧形状の上部スクロール部分１６の先端には、舌片部１７を備えている。
【００１９】
ファンケーシング７の円弧形状の上部スクロール部分１６の上部に、静電霧化手段６を設けている。
【００２０】
本実施形態における特徴は、本体ケース１の上面の面積は、本体ケース１の下面の面積より大きい構成とした点である。
【００２１】
すなわち、本体ケース１の上面の面積は、本体ケース１の下面の面積より大きいので、本体ケース１の側面は、本体ケース１の下部から上部に上がるにつれて、本体ケースの外側方向に傾斜している。これにより、本体ケース１の側面部を掴んで持ち上げる場合に、滑りにくくなり、静電霧化装置の移動を容易に行うことができる。
【００２２】
これらの結果により、静電霧化装置の使用感を向上することができるものである。
【００２３】
また、取っ手等の部品を必要としないので、デザイン性の向上を図ることができる。
【００２４】
また、送風手段４はファンケーシング７と、このファンケーシング７内に設けられた羽根８と、この羽根８を回転させる電動機９とから形成され、この電動機９を本体ケース１の下部に設けたものである。
【００２５】
このように、静電霧化装置の部品の中で、最も重量の重い部品である電動機９を本体ケース１の下部に設けたので、静電霧化装置の重心が、本体ケース１の下部に位置し、本体ケース１の側面部を掴んで持ち上げる場合に、本体ケース１が大きく傾斜しにくく、静電霧化装置の容易に持ち上げ、移動を行うことができる。
【００２６】
また、電動機を本体ケース１の前面側に設けたものである。具体的には、本体ケース１の背面下部には、吸気口３を備え、この吸気口３に対向した位置に、羽根８および電動機９を備えている。つまり、電動機９は、本体ケース１の下部前面側に設けたものである。
【００２７】
このように、静電霧化装置の部品の中で、最も重量の重い部品である電動機９を本体ケース１の下部前面側に、２番目に重い部品である回路部分１２を本体ケース１の下部前面側に、３番目に重い部品である静電霧化手段６を本体ケース１の上部背面側に、４番目に重い部品である羽根８を本体ケース１の下部背面側に設けたので、静電霧化装置の重心が、本体ケース１の下部前面側に位置する。ここで、通常、使用者は、本体ケース１の側面部を掴んで持ち上げる場合には、本体ケース１の前面側を手前にし持ち上げるので、本体ケース１の上部は使用者側に傾斜する。つまり、本体ケース１の上部は、使用者の体に近づくので、静電霧化装置を容易に持ち上げ、移動を行うことができる。
【００２８】
また、本体ケース１の前面側側面１９と、左側側面２０と、背面側側面２１と、右側側面２２とが各々繋がる部分が、曲面形状である。具体的には、本体ケース１の前面側側面１９と、左側側面２０と、背面側側面２１と、右側側面２２とは、本体ケース１の下部から上部に上がるにつれて、本体ケース１の外側方向に傾斜している。この傾斜状態で、前面側側面１９と、左側側面２０と、背面側側面２１と、右側側面２２とが各々交わる部分が、本体ケース１の外側に凸形状の曲面である曲面部２３で繋がっている。この曲面部２３は、本体ケース１の下部から上部に上がるにつれて、曲率半径が徐々に大きくなるものである。
【００２９】
このように、本体ケース１の前面側側面１９と、左側側面２０と、背面側側面２１と、右側側面２２とが各々繋がる部分、曲面部２３が、曲面形状であるので、本体ケースを持ち上げる時に、曲面部２３を手の指と手のひらとによって掴むことができ、静電霧化装置を容易に持ち上げ、移動を行うことができる。
【００３０】
更に、曲面部２３は、本体ケース１の下部から上部に上がるにつれて、曲率半径が徐々に大きくなるので、手の小さい使用者も、手の大きい使用者も、それぞれの手の大きさに応じて、手の指と手のひらとによって掴む易い曲率半径の曲面部２３があるので、手の大きさにかかわらず静電霧化装置を容易に持ち上げ、移動を行うことができる。
【００３１】
また、本体ケース１の前面側側面１９と、左側側面２０と、背面側側面２１と、右側側面２２とを曲面形状で構成したものである。具体的には、本体ケース１の前面側側面１９と、左側側面２０と、背面側側面２１と、右側側面２２とは、本体ケース１の下部から上部に上がるにつれて、本体ケース１の外側方向に傾斜しているので、前面側側面１９と、左側側面２０と、背面側側面２１と、右側側面２２とが各々本体ケース１の外側に凸形状の曲面である。この曲面は、本体ケース１の下部から上部に上がるにつれて、曲率半径が徐々に大きくなるものである。
【００３２】
このように、本体ケース１の前面側側面１９と、左側側面２０と、背面側側面２１と、右側側面２２とは、本体ケース１の外側に凸形状の曲面であるので、対面している本体ケース１の前面側側面１９と、背面側側面２１、または、本体ケースの左側側面２０と、右側側面２２とを、両手で挟むようにして持ち上げる場合にも、本体ケース１の前面側側面１９、左側側面２０、背面側側面２１、および右側側面２２は、本体ケース１の内方へ凹むことを抑制することができる。すなわち、本体ケース１の前面側側面１９と、左側側面２０と、背面側側面２１と、右側側面２２とは、本体ケース１の外側に凸形状の曲面にすることにより、本体ケース１の側面から本体ケース１の内方への強度が増加するので、本体ケース１の板厚を薄肉化することが出来る。
【００３３】
また、本体ケース１は、樹脂材料で形成したものである。すなわち、金型によって樹脂成型されたものである。ここで、本体ケース１の上面の面積は、本体ケース１の下面の面積より大きいので、本体ケース１の側面は、本体ケース１の下部から上部に上がるにつれて、本体ケース１の外側方向に傾斜しており、金型を本体ケース１の上下で割ることが可能となる。つまり、本体ケース１内面に入り込む金型と、本体ケース１の外面を囲む金型とで成型されるので、これら入り込む金型と囲む金型とが重なる部分、いわゆるパーティングラインが、本体ケース１の外面に現れないので、デザイン性を向上することが出来る。また、本体ケース１の側面は、本体ケース１の下部から上部に上がるにつれて、本体ケース１の外側方向に傾斜しているので、金型の抜き勾配が不要となり、本体ケース１の側面を均一な厚みで成型でき、本体ケース１の軽量化を向上させることが出来る。
【００３４】
また、吹出口部材２ａは、本体ケース１の内周面に接するように突出した突出部２４を設けたものである。具体的には、吹出口部材２ａは、中央部には、略横長四角形状の開口である吹出口２を備え、周縁部には、本体ケースの内周面に接するように下方向に突出した筒形状の突出部２４を設けたものである。この突出部２４は、本体ケース１の板厚寸法だけ、吹出口部材２ａの周端部から内方に入り込んだ位置に形成している。ここで、吹出口部材２ａを本体ケース１上面の開口に嵌めると、本体ケース１の上部開口の内周面と、吹出口部材２ａの突出部２４の外周面とが接するものである。
【００３５】
すなわち、対面している本体ケース１上部の前面側側面１９と、背面側側面２１、または、本体ケース１上部の左側側面２０と、右側側面２２とを、両手で挟むようにして持ち上げる場合にも、本体ケース１の前面側側面１９、左側側面２０、背面側側面２１、および右側側面２２は、本体ケース１の内方へ凹むことを抑制することができる。
【００３６】
また、ファンケーシング７側周部と、本体ケース１との間に空間部２５を備えたものである。具体的には、ファンケーシング７は、略縦長箱形状で、上面には略横長四角形状の吐出口１０を備え、背面側側面２１の下部には円形状の吸込口１１を設けている。そして、ファンケーシング７の上面には、上方向に延びた円筒形状の上面ボス部２６を複数備え、下面には、下方向に延びた円筒形状の下面ボス部２７を複数設けている。そして、吹出口部材２ａ、および本体ケース１の下面には、複数の丸孔形状である孔部２８を複数備え、これらの孔部２８から固定手段２９であるネジ３０を、ファンケーシング７の上面ボス部２６、および下面ボス部２７に締結することにより、ファンケーシング７側周部と、本体ケース１との間に空間部２５を設け、ファンケーシングを固定できるものである。
【００３７】
このように、ファンケーシング７側周部と、本体ケース１との間に空間部２５を設けているので、静電霧化装置が倒れた場合に、本体ケース１の内面に、ファンケーシング７が当たりにくいので、本体ケース１が白化することを抑制することが出来る。
【産業上の利用可能性】
【００３８】
以上のように本発明は、吸込口を備え、上面が開口した略箱形状の本体ケースと、この本体ケースの上面に固定され、吹出口を備えた吹出口部材と前記本体ケース内に前記吸込口から前記吹出口に送風する送風手段を設け、この送風手段の風下側風路に静電霧化手段を備え、前記本体ケースの上面の面積は、前記本体ケースの下面の面積より大きい構成であり、静電霧化装置の使用感を向上することができるものである。
【００３９】
すなわち、本体ケースの上面の面積は、本体ケースの下面の面積より大きいので、本体ケースの側面は、本体ケースの下部から上部に上がるにつれて、本体ケースの外側方向に傾斜している。これにより、本体ケースの側面部を掴んで持ち上げる場合に、滑りにくくなり、静電霧化装置の移動を容易に行うことができる。
【００４０】
これらの結果により、静電霧化装置の使用感を向上することができるものである。
【００４１】
従って、家庭用や事務所用などの、静電霧化装置として活用が期待されるものである。
【符号の説明】
【００４２】
１    本体ケース
２    吹出口
２ａ  吹出口部材
３    吸気口
４    送風手段
５    フィルター
６    静電霧化手段
７    ファンケーシング
８    羽根
９    電動機
１０  吐出口
１１  吸込口
１２  回路部分
１３  スクロール部
１４  側面スクロール部分
１５  底面スクロール部分
１６  上部スクロール部分
１７  舌片部
１９  前面側側面
２０  左側側面
２１  背面側側面
２２  右側側面
２３  曲面部
２４  突出部
２５  空間部
２６  上面ボス部
２７  下面ボス部
２８  孔部
２９  固定手段
３０  ネジ
【図１】
2011033304.tif 000003
【図２】
2011033304.tif 000004
【図３】
2011033304.tif 000005